(57)【要約】      （修正有）【課題】カバーを所望の角度に固定できると共に、耐久性に優れたカバー付きキャップ及び、当該キャップを備える容器を提供する。【解決手段】口部31に装着される装着筒12と、取り出し口15が設けられたベース11と、隔壁13に沿って延在してその両端16a1が隔壁13に対して回転可能に支持される軸部16aを有し、軸部16aが他方に回転することによって開かれて前記収納空間を開放するカバー16とを備え、軸部16aに向かって突出する突起17pを有して軸部16aに対して進退可能なスライダ17が設けられ、軸部16aには、カバー16を閉じた状態で軸部16aに向かってスライダ17を進行させたとき、突起17pが着脱可能に嵌合する第１凹部16d1と、カバー16を開いた状態で軸部16aに向かってスライダ17を進行させたとき、突起17pが着脱可能に嵌合する第２凹部16d2とが設けられている。【選択図】図１
2011025954.tif 000002
【特許請求の範囲】
【請求項１】
容器の口部に装着される装着筒を有し、口部を閉じる隔壁に容器内を外界に通じさせる取り出し口が設けられたベースと、隔壁に沿って延在してその両端が当該隔壁に対して回転可能に支持される軸部を有し、この軸部が一方に回転することによって本体が隔壁に覆い被さることで閉じられてベースとの間に取り出し口の収納空間を形成する一方、当該軸部が他方に回転することによって本体が隔壁から離間することで開かれて前記収納空間を開放するカバーとを備え、
隔壁の後方領域には、カバーの軸部に向かって突出する突起を有して当該軸部に対して進退可能なスライダが設けられ、
カバーの軸部には、カバーを閉じた状態で当該軸部に向かってスライダを進行させたとき、当該スライダの突起が着脱可能に嵌合する第１凹部と、
カバーを開いた状態で当該軸部に向かってスライダを進行させたとき、当該スライダの突起が着脱可能に嵌合する第２凹部とが設けられていることを特徴とするカバー付きキャップ。
【請求項２】
請求項１において、前記軸部には、カバーを開閉するとき、隔壁に形成された凸部を乗り越えてクリック感を与える凸部が設けられていることを特徴とするカバー付きキャップ。
【請求項３】
請求項２において、軸部に設けられた前記凸部は、第１凹部に隣接し、カバーが完全に開かれる直前にクリック感を与える位置に設けられていることを特徴とするカバー付きキャップ。
【請求項４】
請求項１〜３のいずれか１項に記載の取り出し口付きキャップを装着してなる、カバー付きキャップを備える容器。
【発明の詳細な説明】
【技術分野】
【０００１】
本発明は、ストローやスパウト等の取り出し口を設けたベースに対して回転可能に支持された軸部を有し、この軸部の回転方向に応じて開閉されるカバー付きキャップ及び、当該キャップを備える容器に関するものである。
【背景技術】
【０００２】
従来のカバー付きキャップには、例えば、容器の口部に装着される装着筒を有し、口部を閉じる隔壁に容器内を外界に通じさせる取り出し口としてストローが設けられたベースと、隔壁の幅方向に延在してその両端が回転可能に支持される軸部を有するカバーとを備えるものがある（例えば、特許文献１参照）。
【先行技術文献】
【特許文献】
【０００３】
【特許文献１】特開２００６−３４７５８０号公報
【発明の概要】
【発明が解決しようとする課題】
【０００４】
上述した従来のキャップは、カバーの動きが軸部周りで自由であるところから、カバーを開閉する際の操作が容易なものとなっている。
【０００５】
しかしながら、従来のキャップのように、カバーの動きが軸部周りで完全に自由であると、カバーが使用者の意図に反して閉じられてしまうことが懸念される。
【０００６】
また、従来のキャップは、カバーに設けた係合凸部を隔壁に設けた係止爪に引っ掛けることでカバーを閉じた状態に固定している。これにより、不使用時の液漏れ等を防止している。
【０００７】
しかしながら、従来のキャップのように、凸部を係止爪に引っ掛けることで固定する場合、カバーの開閉が繰り返されることで凸部又は係止爪が劣化すると、カバーが固定できなくなることが懸念される。
【０００８】
本発明の目的とするところは、カバーを所望の角度に固定できると共に、耐久性に優れたカバー付きキャップ及び、当該キャップを備える容器を提供することにある。
【課題を解決するための手段】
【０００９】
本発明であるカバー付きキャップは、容器の口部に装着される装着筒を有し、口部を閉じる隔壁に容器内を外界に通じさせる取り出し口が設けられたベースと、隔壁に沿って延在してその両端が当該隔壁に対して回転可能に支持される軸部を有し、この軸部が一方に回転することによって本体が隔壁に覆い被さることで閉じられてベースとの間に取り出し口の収納空間を形成する一方、当該軸部が他方に回転することによって本体が隔壁から離間することで開かれて前記収納空間を開放するカバーとを備え、
隔壁の後方領域には、カバーの軸部に向かって突出する突起を有して当該軸部に対して進退可能なスライダが設けられ、
カバーの軸部には、カバーを閉じた状態で当該軸部に向かってスライダを進行させたとき、当該スライダの突起が着脱可能に嵌合する第１凹部と、
カバーを開いた状態で当該軸部に向かってスライダを進行させたとき、当該スライダの突起が着脱可能に嵌合する第２凹部とが設けられていることを特徴とするものである。
【００１０】
装着筒としては、例えば、容器の口部に螺合される構成のものや、口部に形成した凹部又は凸部に引っ掛かって固定される構成のものが挙げられる。取り出し口としては、例えば、ニップル等のスパウトやストローが挙げられる。
【００１１】
また、カバーの軸部には、カバーを開閉するとき、隔壁に成形された凸部を乗り越えてクリック感を与える凸部が設けられ、前記凸部は、所望とするカバーの開き角度に応じてクリック感を与えるように設けることができる。特に、第１凹部に隣接した位置で、当該凸部をカバーが完全に開かれる直前にクリック感を与える位置に設ければ、カバーが完全に開かれる直前は勿論、カバーが完全に開かれた状態から閉じる直後にも、クリック感を与えることができる。
【００１２】
加えて、本発明の取り出し口付きキャップは、その装着筒を容器の口部に装着することで、様々な容器に適用させることができる。
【発明の効果】
【００１３】
本発明によれば、カバーを閉じた状態で、スライダをカバーの軸部に向かって進行させれば、スライダの突起が軸部に設けられた第１凹部に嵌合する。これにより、軸部の回転が阻止されるため、カバーを閉じた状態を維持できる。この場合、携帯等による持ち運び時にカバーが誤って開いてしまうことで液漏れを生じるなどといった問題の発生を抑制できる。つまり、カバーで内容物の漏れを防止する場合には、カバーが誤って開かないことから、内容物の漏れ防止に有効である。また、スライダを軸部から遠ざかるように後退させれば、スライダの突起が軸部に設けられた第１凹部から外れる。これにより、軸部の回転が可能になるため、カバーを開くことができる。
【００１４】
カバーを開いたときも同様で、カバーを開いた状態で、スライダをカバーの軸部に向かって進行させれば、スライダの突起が軸部に設けられた第２凹部に嵌合する。これにより、軸部の回転が阻止されるため、カバーを開いた状態を維持できる。この場合、カバーが誤って閉じることがないから、内容物を飲料としたときに飲み易い。また、スライダを軸部から遠ざかるように後退させれば、スライダの突起が軸部に設けられた第２凹部から外れる。これにより、軸部の回転が可能になるため、カバーを閉じることができる。
【００１５】
即ち、本発明によれば、スライダを後退させておくことで、カバーの軸部周りでの動きは完全に自由になる。これにより、カバーを開閉する際の操作そのものは従来と同様、容易なものとなる。
【００１６】
また、軸部に設けた凹部がスライダの突起と整列した状態で当該スライダを進行させれば、カバーの軸部周りでの動きは阻止される。これにより、カバーが使用者の意図に反して開かれたり、閉じられてしまうことがない。
【００１７】
加えて、カバーの開閉は、スライダの突起を軸部に設けた凹部に嵌合させることで規制されるため、カバーの開閉が繰り返されてもカバーが固定できなくなることがない。これにより、耐久性にも優れる。
【００１８】
更に、本発明によれば、カバーの軸部に設けた凸部が当該カバーを開閉するとき、隔壁に形成された凸部を乗り越えてクリック感を与えるので、使用者は、カバーが固定される角度を自らがクリック感をもって体感することができる。これにより、カバーを所望の角度に確実に位置合わせすることができる。
【００１９】
また、軸部側の前記凸部を、第１凹部に隣接し、カバーが完全に開かれる直前にクリック感を与える位置に設ければ、カバーが完全に開かれるときの位置合わせを確実に行うことができ、カバーを完全に開いた位置に容易に固定することができる。
【図面の簡単な説明】
【００２０】
【図１】本発明の第１の形態である、カバー付きキャップを備えるボトル容器を一部断面で示す側面図である。
【図２】(a),(b)はそれぞれ、同形態にてカバーがロックされた状態及び、当該ロックが解除された状態を示す平面図である。
【図３】(a),(b)はそれぞれ、同形態にてカバーがロックされた状態及び、当該ロックが解除された状態を側面から示す要部断面図である。
【図４】本発明の第２の形態である、カバー付きキャップを備えるボトル容器を一部断面で示す要部側面図である。
【図５】(a),(b)はそれぞれ、同形態にてカバーがロックされた状態及び、当該ロックが解除された状態を示す平面図である。
【発明を実施するための形態】
【００２１】
以下、図面を参照して、本発明の一形態を詳細に説明する。
【００２２】
図１は、第１の形態であるカバー付きキャップ１０を備える容器３０を示し、符号１１は、ボトル容器３０の口部（以下、「容器口部」）３１に装着される装着筒１２を有し、この装着筒１２の上端を覆う隔壁１３が容器口部３１を閉じるベースである。隔壁１３は、その一部が前後方向に延在する溝形の凹部１４を形作る。
【００２３】
凹部１４を形作る底壁（以下、「凹部底壁」）１４ａからは仕切壁１４ｂが一体に起立する。これにより、凹部１４は、仕切壁１４ｂを境界に前方領域Ｇ1と後方領域Ｇ2とに区画される。
【００２４】
前方領域Ｇ1には、ボトル容器３０内を外界に通じさせる取り出し口１５が設けられている。取り出し口１５は、底壁１４ａに形成された開孔Ａ1に嵌合保持されるストロー状の部材（以下、「ストロー」）１５ａを有し、ストロー１５ａの下端には、容器３０に垂下するパイプ１５ｂが接続されている。
【００２５】
符号１６は、前方領域Ｇ1において、凹部底壁１４ａ及び仕切壁１４ｂと共に、取り出し口１５の収納空間を形成するカバーである。カバー１６は、軸部１６ａを有し、前方領域Ｇ1を覆う本体（以下、「カバー本体」）１６ｂが軸部１６ａに一体に繋がる。軸部１６ａは、仕切壁１４ｂの後方に配置され、隔壁１３に形作られた凹部１４の幅方向に沿って延在してその両端１６ａ1が当該隔壁１３の一部を凹部１４に形作る側壁（以下、「凹部側壁」）１４ｃに対して回転可能に支持される。また、カバー本体１６ｂの先端側には、装着筒１１に着座する座面１６ｆを有する操作片１６ｃが設けられている。
【００２６】
これにより、カバー１６は、軸部１６ａが一方（図１上では反時計回り）に回転することによってカバー本体１６ｂが隔壁１３の凹部１４（前方領域Ｇ1）に覆い被さることで閉じられてベース１１との間に取り出し口１５の収納空間を形成する一方、当該軸部１６ａが他方（図１上では時計回り）に回転することによってカバー本体１６ｂが隔壁１３の凹部１４（前方領域Ｇ1）から離間することで開かれて前記収納空間を開放する。
【００２７】
一方、符号１７は、凹部１４の後方領域Ｇ2に配置されたスライダである。スライダ１７は、軸部１６ａに向かって突出する突起１７ｐを有し、凹部１４に沿って前後方向に進退させることができる。これにより、スライダ１７は、軸部１６ａに対して接近及び離間させることができる。
【００２８】
具体例としては、図２の仮想線に示す如く、凹部側壁１４ｃに形成された凹溝１４ｓに、スライダ１７に設けたフランジ１７ｂを摺動可能に嵌合させることで、図３(a),(b)に示すように、軸部１６ａに対する進退を可能にしている。また、本形態では、図１に示すように、スライダ１７の上側壁１７ｄから後側壁１７ｃを垂下させると共に、上側壁１７ｄにおける後方壁１７ｃに近接する位置に窪みＤを設ける。
【００２９】
これに対し、軸部１６ａには、カバー本体１６ｂの操作片１６ｃを装着筒１２に着座させてカバー１６を完全に閉じた状態で、当該軸部１６ａに向かってスライダ１７を進行させたとき、突起１７ｐが着脱可能に嵌合する第１凹部１６ｄ1と、カバー１６を開いた状態で軸部１６ａに向かってスライダ１７を進行させたとき、突起１７ｐが着脱可能に嵌合する第２凹部１６ｄ2とが設けられている。
【００３０】
加えて、軸部１６ａには、図３に示すように、第１凹部１６ｄ1に隣接する位置のうち、カバーの開き方向に隣接する位置に係止凸部１６ｐが形成されていると共に、この係止凸部１６ｐが軸部１６ａの回転によって乗り越え可能な係止凸部１４ｐが仕切壁１４ｂの後側面から突出するように設けられている。
【００３１】
これにより、カバー１６を操作することでカバー１６を完全に開こうとするとき、その直前で係止凸部１６ｐが係止凸部１４ｐを乗り越えることでいわゆる、クリック感（乗り越え感）やクリック音（乗り越えに伴い生じる音）を発生する。同様に、カバー１６を操作することでカバー１６が完全に開かれた状態から閉じられる直後にも、係止凸部１６ｐが係止凸部１４ｐを乗り越えることでクリック感やクリック音を発生する。
【００３２】
なお、図１に示す符号１８は、ベース１１の裏面に設けられた環状のシール部材である。シール部材１８は、キャップ１０を容器口部３１に装着することで、ボトル容器３０の内側を液密状態に保持する。
【００３３】
本形態によれば、カバー１６をベース１１に合せて閉じた状態で、スライダ１７を軸部１６ａに向かって進行させれば、図３(a)に示すように、スライダ１７の突起１７ｐが軸部１６ａに設けられた第１凹部１６ｄ1に嵌合する。これにより、軸部１６ａの回転が阻止されるため、カバー１６を閉じた状態を維持できる。つまり、カバー１６が誤って開かないことから、内容液の漏れ防止に有効である。また、スライダ１７を図３(a)の矢印に示す向きに向かって、軸部１６ａから遠ざかるように後退させれば、突起１７ｐが第１凹部１６ｄ1から外れる。これにより、軸部１６ａの回転が可能になるため、カバー１６を開くことができる。
【００３４】
カバー１６を開いたときも同様で、カバー１６を開いた状態で、スライダ１７を図３(b)の矢印に示す向きに向かって軸部１６ａに向かって進行させれば、突起１７ｐが軸部１６ａに設けられた第２凹部１６ｄ2に嵌合する。これにより、軸部１６ａの回転が阻止されるため、カバー１６を開いた状態を維持できる。この場合、カバー１６が誤って閉じることがないから、内容液である飲料を飲み易い。また、スライダ１７を軸部１６ａから遠ざかるように後退させれば、図３(b)に示すように、突起１７ｐが軸部１６ａに設けられた第２凹部１６ｄ2から外れる。これにより、軸部１６ａの回転が可能になるため、カバー１６を閉じることができる。
【００３５】
なお、本形態では、図３(b)に示す如く、スライダ１７を最大位置（例えば、フランジ１７ｂが凹溝１４ｓの後側終端に接触する位置）まで後退させたとき、突起１７ｐを第２凹部１６ｄ2から延設されている閉じ操作方向側の壁面Ｆに接触させるように構成している。これにより、カバー１６の最大開き角度は、スライダ１７によって規制することができる。
【００３６】
即ち、本形態によれば、スライダ１７を後退させておくことで、カバー１６の軸部１６ａ周りでの動きは完全に自由になる。これにより、カバー１６を開閉する際の操作そのものは従来と同様、容易なものとなる。
【００３７】
また、本形態によれば、第１凹部１６ｄ1又は第２凹部１６ｄ2が突起１７ｐと整列した状態でスライダ１７を軸部１６ａに向かって進行させると、突起１７ｐが第１凹部１６ｄ1又は第２凹部１６ｄ2のいずれか一方と嵌合するため、その後、カバー１６の軸部１６ａ周りでの動きは阻止される。これにより、スライダ１７を操作すれば、カバー１６が使用者の意図に反して開かれたり、閉じられてしまうことがない。
【００３８】
加えて、カバー１６の開閉は、突起１７ｐを第１凹部１６ｄ1又は第２凹部１６ｄ2に嵌合させることで規制されるため、カバー１６の開閉が繰り返されても、係合部分の劣化によりカバー１６が固定できなくなることがない。これにより、耐久性にも優れる。
【００３９】
更に、本形態によれば、カバー１６を開閉するとき、軸部１６ａに設けた係止凸部１６ｐが隔壁１２に形成された係止凸部１４ｐを乗り越えてクリック感やクリック音を発生させるので、使用者は、カバー１６が固定される角度を自らがクリック感やクリック音をもって体感することができる。これにより、カバー１６を所望の角度に確実に位置合わせすることができる。
【００４０】
上述のとおり、本形態である、カバー付きキャップ１０及び、キャップ１０を備える容器３０によれば、カバー１６を所望の角度に開いたことを体感しつつ、その角度のままで固定できることに加え、耐久性の向上を図ることができる。
【００４１】
また、本形態の如く、軸部１６ａ側の係止凸部１６ｐを、カバー１６が完全に開かれる直前にクリック感やクリック音を発生させる位置に設ければ、カバー１６が完全に開かれるときの位置合わせを確実に行うことができる。特に、本形態の如く、係止凸部１６ｐを、第１凹部１６ｄ1に隣接する位置に設ければ、カバー１６を完全に開いた位置に容易に固定することができると共に、前記乗り越えがスムーズに達成される。
【００４２】
なお、本形態では、図１に示すように、取り出し口１５の付近に、凹部底壁１４ａから突出する膨出壁１４ｄが一体に設けられている。膨出壁１４ｄの先端は、同図に示すように、カバー１６を閉じたとき、カバー本体１６ｂとの間でストロー１５ａを押し潰しながら挟持する。これによりカバー１６を閉じるだけでストロー１５ａを封止することができる。
【００４３】
加えて、本形態では、図１に示すように、凹部底壁１４ａには、ストロー１５ａからの内溶液の吸引に伴い容器３０に負圧が生じて変形することを防止すべく、通気孔Ａ2が形成されている。このため、本形態では、同図に示すように、カバー本体１６ｂの裏面から押圧片１６ｅを一体に垂下させる。押圧片１６ｅの先端は、同図に示すように、カバー１６を閉じたとき、通気孔Ａ2との間でストロー１５ａを挟持する。これによりカバー１６を閉じるだけで通気孔Ａ2を封止することができる。
【００４４】
図４に示す第２の形態であるカバー付きキャップ２０を備えるボトル容器３０を示す。カバー付きキャップ２０は、第１の形態の変形例であって、取り出し口２５として、円筒形状の弾性部材２５ａを用いている。
【００４５】
更に詳細には、凹部底壁１４ａに、ボトル容器３０内に通じる環状の通路Ｐ（筒状部２５ｂと凹部底壁１４ａとの間の連結部によって複数に分断されている）が形成された筒状部２５ｂが一体に形成されている。弾性部材２５ａは、筒状部２５ｂの周壁を取り囲むように延在して当該筒状部２５ａよりも全長の長い胴部２５ａ1を有し、胴部２５ａ1の先端は、図４に示すように、胴部２５ａ1の圧縮変形によって環状の通路Ｐを封止する折り返し部２５ａ2として構成されている。
【００４６】
これにより、カバー１６を開いた状態では弾性部材２５ａが伸長することで、弾性部材２５ａからの吸引によって通路Ｐを通してボトル容器３０内の内溶液を取り出せる一方、カバー１６を閉じれば、図４に示すように、カバー１６の裏面が弾性部材２５ａを圧縮変形させることで、折り返し部２５ａ2が通路Ｐを封止する。これにより、本形態も、カバー１６を閉じるだけで通路Ｐを封止することができる。
【００４７】
上述したところは、本発明の一形態を示したに過ぎず、特許請求の範囲内において、種々の変更を加えることができる。また、上述の各形態に採用された各構成はそれぞれ、互いに適宜組み合わせることができる。
【産業上の利用可能性】
【００４８】
本発明としては、例えば、飲料を内容物する容器として採用することができる。
【符号の説明】
【００４９】
１０      カバー付きキャップ（第１の形態）
１１      ベース
１２      装着筒
１３      隔壁
１４      隔壁凹部
１４ａ    凹部底壁
１４ｂ    凹部仕切壁
１４ｃ    凹部側壁
１４ｐ    係止凸部
１４ｓ    凹溝
１５      取り出し口
１５ａ    ストロー状部材
１５ｂ    パイプ
１６      カバー
１６ａ    カバー軸部
１６ａ1   カバー軸部端
１６ｄ1   第１凹部
１６ｄ2   第２凹部
１６ｂ    カバー本体
１６ｃ    カバー操作片
１６ｆ    カバー座面
１６ｐ1   係止凸部
１７      スライダ
１７ｂ    スライド用フランジ
１７ｃ    スライダ後側壁
１７ｄ    スライダ上側壁
１７ｐ    スライダ突起
１８      環状のシール部材
２０      カバー付きキャップ（第２の形態）
２５      取り出し口
２５ａ    弾性部材
２５ａ1   弾性部材胴部
２５ａ2   弾性部材折り返し部
２５ｂ    筒状部
３０      ボトル容器
３１      容器口部
Ｄ        スライダ窪み
Ｆ        閉じ操作方向側の壁面
【図１】
2011025954.tif 000003
【図２】
2011025954.tif 000004
【図３】
2011025954.tif 000005
【図４】
2011025954.tif 000006
【図５】
2011025954.tif 000007